(57)【要約】照明上カバーから突出した第１の突起部をカバーに備えた第１の装着部に嵌め、照明上カバーから突出した第２の突起部をカバーに備えた第１の孔部に入れる。この状態から分解する場合には、第１の装着部の周囲に備えた第１の破断部を破断することで分解できる。この状態から再び組み立てる場合には、照明上カバーから突出した第２の突起部をカバーに備えた第２の装着部に嵌める。
2017126575.tif 000002
【特許請求の範囲】
【請求項１】
照明上カバーと、
前記照明上カバーの下部に備えた照明下カバーと、
前記照明上カバーと前記照明下カバーとの間に配置された発光部と、
前記照明上カバーの上部に設けたカバーとを有する照明部を備え、
前記照明下カバーと前記照明上カバーとはカバー固定部によって固定され、
前記カバー固定部は前記照明下カバーと前記照明上カバーと前記カバーとに設けられ、
前記照明上カバーは、
前記照明上カバー側から前記カバー側に突出した第１の突起部と第２の突起部とを有し、
前記カバーは、
前記第１の突起部が嵌る第１の装着部と、
前記第１の突起部が前記第１の装着部に嵌る場合に前記第２の突起部が位置する第１の孔部と、
前記第２の突起部が嵌る第２の装着部と、
前記第２の突起部が前記第２の装着部に嵌る場合に前記第１の突起部が位置する第３の孔部とを有し、
前記第１の装着部の周囲には、
破断可能な第１の破断部が設けられ、
前記第１の突起部と前記第１の装着部とが嵌合し、
前記カバーと前記照明上カバーを固定する場合には、
前記第１の突起部を前記第１の装着部に嵌め、
前記第２の突起部を前記第１の孔部に位置させ、
前記第１の突起部と前記第１の装着部とが嵌合した状態から、前記カバーと前記照明上カバーとを外す場合には、
前記第１の破断部を破断し、前記照明上カバーから前記カバーを取り外し、
前記第１の破断部が破断した状態から、前記カバーと前記照明上カバーを固定する場合には、
前記カバー固定部によって前記照明上カバーと前記照明下カバーと前記カバーとを固定し、
前記第２の突起部を前記第２の装着部に嵌め、
前記第１の突起部を前記第３の孔部に位置させることを特徴とする天井扇風機。
【請求項２】
前記第１の突起部は、
可撓性を有する第１の爪を有し、
前記第１の突起部を前記第１の装着部に挿入すると前記第１の爪が前記第１の装着部に引っ掛かり、
前記第２の突起部は、
可撓性を有する第２の爪を有し、
前記第２の突起部を前記第２の装着部に挿入すると前記第２の爪が前記第２の装着部に引っ掛かることを特徴とする請求項１に記載の天井扇風機。
【請求項３】
前記照明上カバーは、さらに、
前記照明上カバーから前記カバー側に突出した第３の突起部を備え、
前記カバーは、さらに、
前記第３の突起部が嵌る第３の装着部と、
前記第１の突起部が前記第１の装着部に嵌る場合に前記第３の突起部が位置する第２の孔部と、
前記第２の突起部が前記第２の装着部に嵌る場合に前記第３の突起部が位置する第４の孔部と、
前記第３の突起部が前記第３の装着部に嵌る場合に前記第１の突起部が位置する第５の孔部と、
前記第３の突起部が前記第３の装着部に嵌る場合に前記第２の突起部が位置する第６の孔部とを有し、
前記第２の装着部の周囲には、
破断可能な第２の破断部が設けられ、
前記第２の突起部が前記第２の装着部と嵌合した状態から、前記カバーと前記照明上カバーとを外す場合には、
前記第２の破断部を破断し、前記照明上カバーから前記カバーを取り外し、
前記第２の破断部が破断した状態から、前記カバーと前記照明上カバーを固定する場合には、
前記カバー固定部によって前記照明上カバーと前記照明下カバーとを固定し、
前記第３の突起部を前記第３の装着部に嵌め、
前記第１の突起部を前記第５の孔部に位置させ、
前記第２の突起部を前記第６の孔部に位置させすることを特徴とする請求項１または２に記載の天井扇風機。
【請求項４】
前記第３の突起部は、
可撓性を有する第３の爪を有し、
前記第３の突起部を前記第３の装着部に挿入すると前記第３の爪が前記第３の装着部に引っ掛かることを特徴とする請求項３に記載の天井扇風機。
【発明の詳細な説明】
【技術分野】
【０００１】
本発明は、天井扇風機に関する。
【背景技術】
【０００２】
照明を備えた従来の天井扇風機は、支柱部と、モータ部と、羽根部と、照明部とから構成されている。ここで支柱部は、天井扇風機を天井に係合する。モータ部は、支柱部の下部に備えられている。羽根部は、モータ部により回転する。照明部は、モータ部の下部に設けられている。
【先行技術文献】
【特許文献】
【０００３】
【特許文献１】特開２０１５−５５１５７号公報
【発明の概要】
【０００４】
上記従来の天井扇風機は、照明部を修理や製造過程等何らかの理由で分解しなければいけないことを想定し、照明部は分解後、再度組み立てできる構造となっている。このような構造の照明部は、容易に分解できるため、不正な改造が可能になる。そのため、容易に分解でき、更には不正な改造を防止できる構造が必要であるという課題があった。
【０００５】
本発明の一態様に係る天井扇風機は、照明上カバーと、照明上カバーの下部に備えた照明下カバーと、照明上カバーと照明下カバーとの間に配置された発光部と、照明上カバーの上部に設けたカバーとを有する照明部を備える。照明下カバーと照明上カバーとはカバー固定部によって固定され、カバー固定部は照明下カバーと照明上カバーとカバーとに設けられる。照明上カバーには、照明上カバー側からカバー側に突出した第１の突起部と第２の突起部とを有する。カバーには、第１の突起部が嵌る第１の装着部と、第１の突起部が第１の装着部に嵌る場合に第２の突起部が位置する第１の孔部と、第２の突起部が嵌る第２の装着部と、第２の突起部が第２の装着部に嵌る場合に第１の突起部が位置する第３の孔部とを有する。第１の装着部の周囲には、破断可能な第１の破断部が設けられ、第１の突起部と第１の装着部とが嵌合する。カバーと照明上カバーを固定する場合には、第１の突起部を第１の装着部に嵌め、第２の突起部を第１の孔部に位置させる。第１の突起部と第１の装着部とが嵌合した状態から、カバーと照明上カバーとを外す場合には、第１の破断部を破断し、照明上カバーからカバーを取り外す。第１の破断部が破断した状態から、カバーと照明上カバーを固定する場合には、カバー固定部によって照明上カバーと照明下カバーとカバーとを固定し、第２の突起部を第２の装着部に嵌め、第１の突起部を第３の孔部に位置させる。これにより所期の目的を達成するものである。
【０００６】
本発明の一態様に係る天井扇風機は、第１の突起部と第１の装着部とが嵌合し、カバーと照明上カバーを固定する場合には、第１の突起部を第１の装着部に嵌め、第２の突起部を第１の孔部に位置させる。第１の突起部と第１の装着部とが嵌合した状態から、カバーと照明上カバーとを外す場合には、第１の破断部を破断し、照明上カバーからカバーを取り外す。第１の破断部が破断した状態から、カバーと照明上カバーを固定する場合には、カバー固定部によって照明上カバーと照明下カバーとカバーとを固定し、第２の突起部を第２の装着部に嵌め、第１の突起部を第３の孔部に位置させる。これにより、破壊無しに容易に分解できない構造にすることで不正な改造を防止しつつ、照明部が修理や製造過程等何らかの理由で分解しなければいけない場合に対しても、照明部は分解後、再度組み立てることができる。
【図面の簡単な説明】
【０００７】
【図１】図１は、実施の形態に係る天井扇風機を説明するための図である。
【図２】図２は、実施の形態に係る天井扇風機の照明部の斜視図である。
【図３】図３は、実施の形態に係る天井扇風機の照明部の分解斜視図である。
【図４】図４は、実施の形態に係る天井扇風機の照明上カバーの斜視図である。
【図５】図５は、実施の形態に係る天井扇風機のカバーの斜視図である。
【図６】図６は、実施の形態に係る天井扇風機のカバーの拡大図である。
【図７】図７は、実施の形態に係る天井扇風機の照明部の平面図である。
【図８】図８は、実施の形態に係る天井扇風機の照明部の平面図である。
【図９】図９は、実施の形態に係る天井扇風機の照明部の平面図である。
【発明を実施するための形態】
【０００８】
以下、実施の形態について図面を参照しながら説明する。
【０００９】
なお、以下で説明する各部材について、図１における上側の部分を上部と称し、図１における下側の部分を下部と称する。また、図１における上側の面を上面と称し、図１における下側の面を下面と称する。また、図１における上方を上方と称し、図１における下方を下方と称する。
【００１０】
（実施の形態）
図１は、実施の形態に係る天井扇風機を説明するための図である。図１に示すように、天井扇風機は、支柱部１と、モータ部２と、羽根部３と、照明部４とを備えている。
【００１１】
支柱部１の上部は、天井に係合が可能であり、下部にはモータ部２が固定されている。モータ部２は、着脱可能な複数の羽根部３を備えている。この羽根部３は、モータ部２から外方水平方向に延びるように固定されている。モータ部２が回転することにより、羽根部３が回転し、空気が送風される。モータ部２の下部には、照明部４が固定されている。
【００１２】
図２は、実施の形態に係る天井扇風機の照明部の斜視図である。図３は、実施の形態に係る天井扇風機の照明部の分解斜視図である。
【００１３】
図２および図３に示すように、照明部４は、照明上カバー５と、照明下カバー６と、ＬＥＤ基板７と、カバー８から構成されている。照明上カバー５は、モータ部２（図１参照）の下部に設けられている。照明下カバー６は、照明上カバー５の下部に備えられている。ＬＥＤ基板７は、本開示に係る発光部の一例であり、照明上カバー５と照明下カバー６との間に配置され、複数の発光素子が装着されている。カバー８は、モータ部２と照明上カバー５との間に設けられている。ＬＥＤ基板７の複数の発光素子が発光すると、その光が照明下カバー６を介して、本体外を照らす。なお、発光部はＬＥＤ（Ｌｉｇｈｔ  Ｅｍｉｔｔｉｎｇ  Ｄｉｏｄｅ）以外の発光体、たとえば、蛍光灯であっても良い。
【００１４】
照明上カバー５は、上部が閉じている円筒形状をしており、円筒側面には円筒側面から外方へ突出した突起である上側固定部９ａが設けられている。
【００１５】
照明下カバー６は、上方が開口した椀形状をしており、上端部にＬ字状の切り欠きである下側固定部９ｂが設けられている。下側固定部９ｂは、照明下カバー６の上端から下方へ延びた第１の切り欠き９ｃと、第１の切り欠き９ｃの下端から水平方向へ延びた第２の切り欠き９ｄを有している。照明下カバー６の材質は、透光性の樹脂で、一例はポリカーボネイトである。
【００１６】
ＬＥＤ基板７は、照明上カバー５に固定されており、照明下カバー６を照明上カバー５に固定することで覆われる。
【００１７】
カバー８は、平面状のリングと、リングの外周縁から延びた円筒状の側面を備えた形状をしており、照明上カバー５の上面の周縁部と、照明上カバー５の側面と、照明下カバー６の上端部を覆う。カバー８の側面における内面には上下方向に延びたリブが突出している。このリブが抜け止め部８ａである。
【００１８】
照明上カバー５と照明下カバー６とは、カバー固定部９によって固定される。カバー固定部９は、上側固定部９ａと下側固定部９ｂと抜け止め部８ａとを備えている。カバー固定部９は、周縁において、等間隔で３箇所設けられている。即ち、隣り合ったカバー固定部９と、照明上カバー５およびカバー８の中心との成す角度は１２０度となる。
【００１９】
以上の構成において、照明上カバー５と、照明下カバー６と、ＬＥＤ基板７と、カバー８との組み立て方について説明する。
【００２０】
まず、ＬＥＤ基板７を固定した照明上カバー５に照明下カバー６を被せる。この時に、照明上カバー５の上側固定部９ａである突起が、照明下カバー６の下側固定部９ｂである第１の切り欠き９ｃを介して、第２の切り欠き９ｄまで入り込むように、照明上カバー５に照明下カバー６を被せる。これにより、照明上カバー５の上側固定部９ａが第２の切り欠き９ｄに引っかかり、照明下カバー６は照明上カバー５に対して、水平方向には移動できるが、上下方向に移動できなくなり、照明上カバー５に照明下カバー６が保持される。
【００２１】
次に、照明上カバー５と照明下カバー６とにカバー８を被せる。この時に、カバー８の抜け止め部８ａの下端部が、照明下カバー６の下側固定部９ｂである第１の切り欠き９ｃを介して、第２の切り欠き９ｄまで入り込むように、照明上カバー５と照明下カバー６とにカバー８を被せる。これにより、照明上カバー５に対して照明下カバー６を水平方向に移動させようとすると、照明上カバー５の上側固定部９ａがカバー８の抜け止め部８ａの下端部と接触し、照明下カバー６は照明上カバー５に対して移動できなくなる。
【００２２】
照明上カバー５から照明下カバー６を取り外す場合には、上記の逆手順となる。つまり、最初にカバー８を照明上カバー５と照明下カバー６とから取り外さないと、照明上カバー５から照明下カバー６が外れない構成である。
【００２３】
図４は、実施の形態に係る天井扇風機の照明上カバーの斜視図である。図５は、実施の形態に係る天井扇風機のカバーの斜視図である。図６は、実施の形態に係る天井扇風機のカバーの拡大図である。
【００２４】
図４に示すように、照明上カバー５は、照明上カバー５上面に突出した第１の突起部１０と第２の突起部１１と第３の突起部１２とを備えている。第１の突起部１０と照明上カバー５の中心と、第２の突起部１１と照明上カバー５の中心とが成す角度は、反時計回りで９０度である。第２の突起部１１と照明上カバー５の中心と、第３の突起部１２と照明上カバー５の中心とが成す角度は、反時計回りで９０度である。第３の突起部１２と照明上カバー５の中心と、第１の突起部１０と照明上カバー５の中心とが成す角度は、反時計回りで１８０度である。
【００２５】
第１の突起部１０は、２つの第１の平板部分１０ａと、２つの第１の平板部分１０ａのそれぞれに第１の爪１０ｂとを備えている。
【００２６】
２つの第１の平板部分１０ａは、照明上カバー５の上面周縁部から上方へ突出した横長平板形状で、互いの主面が対向し、隣り合うように２つ延びている。隣り合う２つの第１の平板部分１０ａの間には隙間を有している。第１の爪１０ｂは、それぞれの第１の平板部分１０ａの先端から、第１の平板部分１０ａの間の隙間とは反対側に水平方向に延びた突起である。第１の平板部分１０ａと照明上カバー５と第１の爪１０ｂとは、たとえば、樹脂材料で一体に形成され、第１の平板部分１０ａは可撓性を有している。隣り合う２つの第１の平板部分１０ａの間には隙間があるので、２つの第１の平板部分１０ａを撓み引き寄せることができる。
【００２７】
第２の突起部１１、第３の突起部１２は、第１の突起部１０と同様の形状であり、第２の突起部１１は、２つの第２の平板部分１１ａと第２の爪１１ｂとを備え、第３の突起部１２は、２つの第３の平板部分１２ａと第３の爪１２ｂとを備えている。
【００２８】
図５に示すように、カバー８の上面周縁部には、第１の突起部１０が嵌る第１の装着部１３と、その場合に第２の突起部１１が入る第１の孔部１４と第３の突起部１２が入る第２の孔部１５とを備えている。
【００２９】
図６に示すように、第１の装着部１３は、中心軸が上下方向に延びた四角形の筒形状である。第１の装着部１３の下方から第１の突起部１０を挿入すると、２つの第１の平板部分１０ａ（図４参照）を撓み引き寄せられながら入り、第１の爪１０ｂが第１の装着部１３を通過すると、２つの第１の平板部分１０ａが元に戻り、第１の爪１０ｂが第１の装着部１３の上端部に引っかかる。なお、第１の装着部１３は、たとえば、円形、楕円の筒形状や、他の形状でも良い。
【００３０】
図５に示すように、第１の孔部１４、第２の孔部１５は、四角形状の孔である。第１の孔部１４を上方から見ると、第２の突起部１１（図４参照）、第３の突起部１２よりひとまわり大きいので、第１の孔部１４に第２の突起部１１を挿入すると、第２の平板部分１１ａが撓むことなく、第２の突起部１１が第１の孔部１４内に入る。同様に第２の孔部１５を上方から見ると、第３の突起部１２（図４参照）よりひとまわり大きいので、第２の孔部１５に第３の突起部１２を挿入すると、第３の平板部分１２ａが撓むことなく、第３の突起部１２が第２の孔部１５内に入る。
【００３１】
図６に示すように、第１の装着部１３の周囲には、破断可能な第１の破断部２３を備えている。第１の破断部２３は、四角形の筒形状の第１の装着部１３の周囲四平面から外方へ、それぞれの周囲四平面に対して垂直に延びている角柱である。カバー８と第１の装着部１３との間には隙間を備え、これら４本の角柱によって、第１の装着部１３とカバー８とが連結している。第１の装着部１３と第１の破断部２３とカバー８とは、樹脂材料で一体に形成されている。カバー８と第１の装着部１３との間の隙間にニッパー等の工具の先端を挿入し、角柱である第１の破断部２３を切断することができる。なお、第１の破断部２３は、１本以上で保持できれば良く、第１の破断部２３の形状は、たとえば、円柱や、他の形状でも良い。
【００３２】
図５に示すように、カバー８には、第２の突起部１１が嵌る第２の装着部１６と、その場合に第１の突起部１０が位置する第３の孔部１７と、第３の突起部１２が位置する第４の孔部１８とを備えている。更に、カバー８には、第３の突起部１２が嵌る第３の装着部１９と、その場合に第１の突起部１０が位置する第５の孔部２０と、第２の突起部１１が位置する第６の孔部２１とを備えている。なお、第２の装着部１６と第３の装着部１９は、第１の装着部１３と同じ形状である。また、第３の孔部１７と第４の孔部１８と第５の孔部２０と第６の孔部２１は、第１の孔部１４、及び第２の孔部１５と同じ形状である。
【００３３】
なお、第１の装着部１３とカバー８の中心と、第２の装着部１６とカバー８の中心とが成す角度は、時計回りで３０度である。第２の装着部１６とカバー８の中心と、第３の装着部１９とカバー８の中心とが成す角度は、時計回りで３０度である。第３の装着部１９とカバー８の中心と、第１の装着部１３とカバー８の中心とが成す角度は、時計回りで６０度である。
【００３４】
第２の装着部１６の周囲には、破断可能な第２の破断部２４を備え、第３の装着部１９の周囲には、破断可能な第３の破断部２５を備えている。なお、第２の破断部２４と第３の破断部２５は、第１の破断部２３と同じ形状である。
【００３５】
以上の構成において、図７に示すように、第１の突起部１０と第１の装着部１３とによってカバー８を照明上カバー５に固定する場合について説明する。
【００３６】
図７は、実施の形態に係る天井扇風機の照明部の平面図である。詳しくは、第１の突起部１０が第１の装着部１３に嵌合することで、照明上カバー５とカバー８が固定された場合における、照明部４の状態を説明するための平面図である。
【００３７】
まず、図３に示すように、カバー固定部９によって照明上カバー５と照明下カバー６とを固定する。そして、図７に示すように、第１の突起部１０を第１の装着部１３に嵌め、第２の突起部１１を第１の孔部１４に入れ、第３の突起部１２を第２の孔部１５に入れる。そして、第１の装着部１３と第１の突起部１０とを固定部材によって、または第１の突起部１０を加工することによって固定する。固定部材の一例は、接着剤である。加工の一例は、第１の突起部１０を上方から熱で潰し、第１の突起部１０を第１の装着部１３と溶着させることである。なお、第１の装着部１３とカバー８の中心と、第１の孔部１４とカバー８の中心とが成す角度は、反時計回りで９０度である。第１の孔部１４とカバー８の中心と、第２の孔部１５とカバー８の中心とが成す角度は、反時計回りで９０度である。
【００３８】
この状態から、図３に示すように、照明上カバー５と照明下カバー６とを外す場合には、第１の装着部１３の第１の破断部２３（図６参照）を破断する。そして、図３に示すように、照明上カバー５からカバー８を外し、カバー固定部９によって固定されている照明上カバー５と照明下カバー６とを取り外す。
【００３９】
図８は、実施の形態に係る天井扇風機の照明部の平面図である。詳しくは、第１の破断部２３が破断した状態から、第２の突起部１１が第２の装着部１６に嵌合することで、照明上カバー５とカバー８が固定された場合における、照明部４の状態を説明するための平面図である。
【００４０】
図８に示すように、一度、図７に示す状態のカバー８から第１の破断部２３（図５および図６参照）を破断して、第１の装着部１３を離間させた状態から再び組み立てる場合には、第１の突起部１０の第１の平板部分１０ａ（図４参照）を切断する。そして、図７に示す状態から、第１の装着部１３を第１の突起部１０から外す。そして、図３に示すように、カバー固定部９によって照明上カバー５と照明下カバー６とを固定する。そして、図８に示すように、第２の突起部１１を第２の装着部１６に嵌め、第１の突起部１０の切断跡を第３の孔部１７に入れ、第３の突起部１２を第４の孔部１８に入れる。そして、第２の装着部１６と第２の突起部１１とを固定部材、または第２の突起部１１を加工することによって固定する。なお、第２の装着部１６とカバー８の中心と、第３の孔部１７とカバー８の中心とが成す角度は、時計回りで９０度である。第２の装着部１６とカバー８の中心と、第４の孔部１８とカバー８の中心とが成す角度は、反時計回りで９０度である。
【００４１】
同様に、この状態から、図３に示すように、照明上カバー５と照明下カバー６とを外す場合には、第２の装着部１６の第２の破断部２４（図５参照）を破断する。そして、図３に示すように、照明上カバー５からカバー８を外し、カバー固定部９によって固定されている照明上カバー５と照明下カバー６とを取り外す。
【００４２】
図９は、実施の形態に係る天井扇風機の照明部の平面図である。詳しくは、第１の破断部２３および第２の破断部２４が破断した状態から、第３の突起部１２が第３の装着部１９に嵌合することで、照明上カバー５とカバー８が固定された場合における、照明部４の状態を説明するための平面図である。
【００４３】
図９に示すように、一度、図８に示す状態のカバー８から第２の破断部２４（図５参照）を破断して、第２の装着部１６を離間させた状態から再び組み立てる場合には、第２の突起部１１の第２の平板部分１１ａ（図４参照）を切断する。そして、図８に示す状態から、第２の装着部１６を第２の突起部１１から外す。そして、図３に示すように、カバー固定部９によって照明上カバー５と照明下カバー６とを固定する。そして、図９に示すように、第３の突起部１２を第３の装着部１９に嵌め、第１の突起部１０の切断跡を第５の孔部２０に入れ、第２の突起部１１の切断跡を第６の孔部２１に入れる。そして、第３の装着部１９と第３の突起部１２とを固定部材、または第３の突起部１２を加工することによって固定する。なお、第３の装着部１９とカバー８の中心と、第５の孔部２０とカバー８の中心とが成す角度は、反時計回りで１８０度である。第３の装着部１９とカバー８の中心と、第６の孔部２１とカバー８の中心とが成す角度は、時計回りで９０度である。なお、カバー８を照明上カバー５にねじ止めによる固定を追加しても良い。
【００４４】
これにより、破壊無しに容易に分解できない構造により不正な改造を防止しつつ、照明部が修理や製造過程等何らかの理由で分解しなければいけない場合に対しても、照明部は分解後、再度組み立てできる構造を有することができる。
【産業上の利用可能性】
【００４５】
本発明の一態様に係る天井扇風機は、家庭用や事務所用などの天井扇風機として有用である。
【符号の説明】
【００４６】
１    支柱部
２    モータ部
３    羽根部
４    照明部
５    照明上カバー
６    照明下カバー
７    ＬＥＤ基板（発光部）
８    カバー
９    カバー固定部
１０    第１の突起部
１０ａ    第１の平板部分
１０ｂ    第１の爪
１１    第２の突起部
１１ａ    第２の平板部分
１１ｂ    第２の爪
１２    第３の突起部
１２ａ    第３の平板部分
１２ｂ    第３の爪
１３    第１の装着部
１４    第１の孔部
１５    第２の孔部
１６    第２の装着部
１７    第３の孔部
１８    第４の孔部
１９    第３の装着部
２０    第５の孔部
２１    第６の孔部
２３    第１の破断部
２４    第２の破断部
２５    第３の破断部
【図１】
2017126575.tif 000003
【図２】
2017126575.tif 000004
【図３】
2017126575.tif 000005
【図４】
2017126575.tif 000006
【図５】
2017126575.tif 000007
【図６】
2017126575.tif 000008
【図７】
2017126575.tif 000009
【図８】
2017126575.tif 000010
【図９】
2017126575.tif 000011
【国際調査報告】
2017126575.tif 000012
2017126575.tif 000013